(57)【特許請求の範囲】
【請求項１】
相互に波長の異なる複数の光ビームを夫々射出する射出手段と、
前記射出された各光ビームの情報記録媒体からの反射光を夫々受光し、当該受光した反射光に夫々対応する受光信号を夫々出力する受光手段と、
出力された各前記受光信号を用いて、各前記光ビームに夫々対応するトラッキングエラー信号を含むトラッキングエラー信号群、又は各前記光ビームに夫々対応するＲＦ（Radio Frequency）信号を含むＲＦ信号群、のいずれか一方の信号群を生成する生成手段と、
各前記光ビーム夫々に対応する前記いずれか一方の信号群に含まれる信号同士の振幅比のみに基づき、ＣＤ−Ｒ（Compact Disc - Recordable）、ＣＤ−ＲＷ（CD - ReWritable）、ＤＶＤ（Ｓ）（DVD - Single layer）、ＤＶＤ（Ｄ）（DVD - Dual layer）、ＤＶＤ−Ｒ（DVD - Recordable）又はＤＶＤ−ＲＷ（DVD Re - recordable）のいずれかである前記情報記録媒体の当該種類を判別する判別手段と、
を備えることを特徴とする情報記録媒体判別装置。
【請求項２】
請求項１に記載の情報記録媒体判別装置において、
前記射出手段は、相互に波長の異なる第１光ビームと第２光ビームを夫々射出し、
前記受光手段は、前記第１光ビームの前記情報記録媒体からの反射光を受光して第１受光信号を出力すると共に、前記第２光ビームの前記情報記録媒体からの反射光を受光して第２受光信号を出力し、
前記生成手段は、前記第１受光信号に対応するトラッキングエラー信号及び前記第２受光信号に対応するトラッキングエラー信号トラッキングエラー信号群、又は前記第１受光信号に対応するＲＦ信号及び前記第２受光信号に対応するＲＦ信号を含むＲＦ信号群、のいずれか一方の信号群を生成し、
更に前記判別手段は、前記いずれか一方の信号群に含まれる信号同士の振幅比のみに基づいて前記情報記録媒体の種類を判別することを特徴とする情報記録媒体判別装置。
【請求項３】
請求項２に記載の情報記録媒体判別装置において、
前記第１光ビームの波長が７７０ナノメートル以上７９５ナノメートル以下の範囲内の波長であると共に、前記第２光ビームの波長が６３０ナノメートル以上６５５ナノメートル以下の範囲内の波長であることを特徴とする情報記録媒体判別装置。
【請求項４】
請求項１から３のいずれか一項に記載の情報記録媒体判別装置において、
前記判別手段は、種類を判別すべき前記情報記録媒体における各前記光ビームの反射率に対応して予め設定されている閾値と前記振幅比のみとを比較することにより当該情報記録媒体の種類を判別することを特徴とする情報記録媒体判別装置。
【請求項５】
請求項１から４のいずれか一項に記載の情報記録媒体判別装置において、
前記種類の判別に先だって、前記出力された受光信号のうちいずれかの当該受光信号に基づいて前記情報記録媒体の有無を判別する有無判別手段を更に備えることを特徴とする情報記録媒体判別装置。
【請求項６】
請求項１から５のいずれか一項に記載の情報記録媒体判別装置において、
前記射出手段は、前記種類を判別した後に最初に用いられる前記光ビームを、当該種類の判別において最後に射出することを特徴とする情報記録媒体判別装置。
【請求項７】
相互に波長の異なる複数の光ビームを夫々射出する射出工程と、
前記射出された各光ビームの情報記録媒体からの反射光を夫々受光し、当該受光した反射光に夫々対応する受光信号を夫々出力する受光工程と、
出力された各前記受光信号を用いて、各前記光ビームに夫々対応するトラッキングエラー信号を含むトラッキングエラー信号群、又は各前記光ビームに夫々対応するＲＦ信号を含むＲＦ信号群、のいずれか一方の信号群を生成する生成工程と、
各前記光ビーム夫々に対応する前記いずれか一方の信号群に含まれる信号同士の振幅比のみに基づき、ＣＤ−Ｒ、ＣＤ−ＲＷ、ＤＶＤ（Ｓ）、ＤＶＤ（Ｄ）、ＤＶＤ−Ｒ又はＤＶＤ−ＲＷのいずれかである前記情報記録媒体の種類を判別する判別工程と、
を含むことを特徴とする情報記録媒体判別方法。
【請求項８】
請求項７に記載の情報記録媒体判別方法において、
前記射出手工程においては、相互に波長の異なる第１光ビームと第２光ビームを夫々射出し、
前記受光工程においては、前記第１光ビームの前記情報記録媒体からの反射光を受光して第１受光信号を出力すると共に、前記第２光ビームの前記情報記録媒体からの反射光を受光して第２受光信号を出力し、
前記生成工程においては、前記第１受光信号に対応するトラッキングエラー信号及び前記第２受光信号に対応するトラッキングエラー信号トラッキングエラー信号群、又は前記第１受光信号に対応するＲＦ信号及び前記第２受光信号に対応するＲＦ信号を含むＲＦ信号群、のいずれか一方の信号群を生成し、
更に前記判別工程においては、前記いずれか一方の信号群に含まれる信号同士の振幅比のみに基づいて前記情報記録媒体の種類を判別することを特徴とする情報記録媒体判別方法。
【発明の詳細な説明】
【０００１】
【発明の属する技術分野】
本発明は、情報記録媒体判別装置及び情報記録媒体判別方法の技術分野に属し、より詳細には、光学的に情報の記録又は再生が行われる情報記録媒体の種類を判別する情報記録媒体判別装置及び情報記録媒体判別方法の技術分野に属する。
【０００２】
【従来の技術】
近年、相互に異なる複数種類の光ディスクに記録されている情報を一の情報再生装置により再生することが可能な、いわゆるコンパチビリティに優れた情報再生装置が一般化している。
【０００３】
一方、当該光ディスクから情報を再生するに当たっては、一般に、当該再生用の光ビームの集光位置を当該光ディスクにおける情報記録面の位置と一致させるために、いわゆるフォーカスサーボ制御又はトラッキングサーボ制御等を実行しつつ当該再生を行う必要がある。
【０００４】
ここで、従来からある各種の光ディスクにおいては、夫々の構造上の差異に起因して、上記した各サーボ制御において設定すべきゲイン特性やイコライザ特性等が相互に異なるのが通常である。
【０００５】
従って、夫々に記録されている情報を一の情報再生装置で再生するに当たっては、当該情報再生装置における各特性（上記イコライザ特性又はゲイン特性等）を各光ディスクの種類に応じて最適化した後に再生を開始する必要があるが、このためには、当該再生を実行する前において、現在情報再生装置に装填されている光ディスクの種類が何であるかを判別し、その判別結果に基づいて上記ゲイン特性等の最適化を行う必要がある。
【０００６】
このため、従来では、光ディスクに対する記録又は再生用の光ビームを用いた様々な種類判別方法が提案されている。
【０００７】
【発明が解決しようとする課題】
しかしながら、最近一般化しつつある一回のみ情報の記録が可能ないわゆるＣＤ−Ｒ（Compact  Disc-Recordable）については、従来の何れの種類判別方法を用いても、これを他の光ディスクから判別することができないという問題点があった。
【０００８】
これは、従来からあるＣＤ（Compact  Disc）用の情報再生装置等で用いられている光ビームについては、当該ＣＤ−Ｒの当該光ビームに対する反射特性及び記録フォーマットが他のＣＤ等のそれらとほとんど同一であり、従って当該光ビームを用いた従来の種類判別方法の何れを用いてもＣＤ−ＲとＣＤ等を区別することができなかったことによる。
【０００９】
一方、近年においては、上記ＣＤ−Ｒを高倍速再生する必要性が生じてきているが、この場合には当該ＣＤ−Ｒを高速で回転させる必要がある。そして、この高速回転しているＣＤ−Ｒからの情報の再生を正確に行う場合には、低速回転の際にはＣＤとほぼ同一の設定でも許容されていた上記ゲイン特性又はイコライザ特性等をよりＣＤ−Ｒのみに最適化した値とすることが必要であり、このため、情報の再生前に当該ＣＤ−Ｒを他の光ディスクから区別して判別する必要性が更に高まってきている。
【００１０】
そこで、本発明は、上記の要請に鑑みて為されたもので、その課題は、ＣＤ−Ｒを含めた複数種類の情報記録媒体の種類を光学的に正確に判別することが可能な情報記録媒体判別装置及び情報記録媒体判別方法を提供することにある。
【００１１】
【課題を解決するための手段】
上記の課題を解決するために、請求項１に記載の発明は、相互に波長の異なる複数の光ビームを夫々射出する第１レーザダイオード及び第２レーザダイオード等の射出手段と、前記射出された各光ビームの情報記録媒体からの反射光を夫々受光し、当該受光した反射光に夫々対応する受光信号を夫々出力するピックアップ等の受光手段と、出力された各前記受光信号を用いて、各前記光ビームに夫々対応するトラッキングエラー信号を含むトラッキングエラー信号群、又は各前記光ビームに夫々対応するＲＦ信号を含むＲＦ信号群、のいずれか一方の信号群を生成するピックアップ等の生成手段と、各前記光ビーム夫々に対応する前記いずれか一方の信号群に含まれる信号同士の振幅比のみに基づき、ＣＤ−Ｒ、ＣＤ−ＲＷ、ＤＶＤ（Ｓ）、ＤＶＤ（Ｄ）、ＤＶＤ−Ｒ又はＤＶＤ−ＲＷのいずれかである前記情報記録媒体の当該種類を判別するサーボＩＣ（Integrated Circuit）等の判別手段と、を備える。
【００２５】
上記の課題を解決するために、請求項７に記載の発明は、相互に波長の異なる複数の光ビームを夫々射出する射出工程と、前記射出された各光ビームの情報記録媒体からの反射光を夫々受光し、当該受光した反射光に夫々対応する受光信号を夫々出力する受光工程と、出力された各前記受光信号を用いて、各前記光ビームに夫々対応するトラッキングエラー信号を含むトラッキングエラー信号群、又は各前記光ビームに夫々対応するＲＦ信号を含むＲＦ信号群、のいずれか一方の信号群を生成する生成工程と、各前記光ビーム夫々に対応する前記いずれか一方の信号群に含まれる信号同士の振幅比のみに基づき、ＣＤ−Ｒ、ＣＤ−ＲＷ、ＤＶＤ（Ｓ）、ＤＶＤ（Ｄ）、ＤＶＤ−Ｒ又はＤＶＤ−ＲＷのいずれかである前記情報記録媒体の種類を判別する判別工程と、を含む。
【００２９】
【発明の実施の形態】
次に、本発明に好適な実施の形態について、図１乃至図４を用いて説明する。
【００３０】
なお、以下に説明する実施の形態は、複数種類の光ディスクに記録されている情報を再生可能な情報再生装置における光ディスクの種類の判別処理に対して本発明を適用した場合の実施形態である。
【００３１】
また、図１は本発明の原理を説明する図であり、図２は実施形態に係る情報再生装置の概要構成を示すブロック図であり、図３は実施形態に係る種類判別処理を示すフローチャートであり、図４は実施形態に係る種類判別処理を示すタイミングチャートである。
【００３２】
（Ｉ）本発明の原理
先ず、具体的な実施形態について説明する前に、本発明の原理について図１を用いて説明する。
【００３３】
現在、ＣＤと同じ態様で光学的に情報の再生が行われる情報記録媒体としては、その記録容量又は記録フォーマットの違いにより、ＣＤ−Ｒ、ＣＤ−ＲＷ（CD-ReWritable）、ＤＶＤ（Ｓ）（DVD-Single  layer）、ＤＶＤ（Ｄ）（DVD-Dual  layer）、ＤＶＤ−Ｒ（DVD-Recordable）及びＤＶＤ−ＲＷ（DVD‐Re-recordable）等がある。
【００３４】
このとき、ＣＤ−Ｒとは一回のみ書込み可能でＣＤとほぼ同様の記録容量を有する記録再生用光ディスクであり、ＣＤ−ＲＷとは複数回の記録又は再生が可能でＣＤとほぼ同様の記録容量を有する記録再生用光ディスクであり、ＤＶＤ（Ｓ）とはＣＤよりも数倍記録容量を高めた再生専用光ディスクであり、ＤＶＤ（Ｄ）とは二層の情報記録面を備えたＣＤよりも十数倍記録容量を高めた再生専用光ディスクであり、ＤＶＤ−Ｒは一回のみ書込み可能で上記ＤＶＤ（Ｓ）とほぼ同様の記録容量を有する記録再生用光ディスクであり、ＤＶＤ−ＲＷは複数回の記録又は再生が可能で上記ＤＶＤ（Ｓ）とほぼ同様の記録容量を有する記録再生用光ディスクである。
【００３５】
更に、これらのうち、ＤＶＤ（Ｄ）、ＤＶＤ（Ｓ）、ＤＶＤ−Ｒ及びＤＶＤ−ＲＷについては例えば波長６５０ナノメートルの光ビームを用いて記録又は再生を行うことができることとされており、一方、ＣＤ−Ｒ、ＣＤ及びＣＤ−ＲＷについてはこれより長波長である波長７８０ナノメートルの光ビームを用いて記録又は再生を行うことができることとされている。
【００３６】
ここで、各光ディスクにおいては、夫々に含まれている反射膜（照射された光ビームを反射するための反射膜）の材質の相異や光ディスクの積層構造そのものの相異に起因して、上記各光ビームに対する反射率に相異がある。
【００３７】
一方、上述した各光ディスクの夫々に記録されている情報を全て再生可能な情報再生装置には、上記した波長６５０ナノメートルの光ビームを射出するレーザダイオードと波長７８０ナノメートルの光ビームを射出するレーザダイオードとを共に備えられている。
【００３８】
そこで、本発明においては、上記情報再生装置における情報再生時においてそれに装填されている光ディスクの種類を判別する場合に、上記した二種類の光ビームを当該装填されている光ディスクに夫々別個に照射し、その反射光を夫々受光して得られる二種類の受光信号（具体的には、いわゆるフォーカスエラー信号、トラッキングエラー信号又はＲＦ（Radio  Frequency）信号等の受光信号）の振幅の比を算出し、その振幅比に基づいて当該装填されている光ディスクの種類を判別する。
【００３９】
より具体的には、当該振幅比が光ディスクの種類に応じて図１の如き分布を示すことを利用して、図１中符号Ａ乃至Ｄで示すような当該振幅比に対する複数の閾値を設け、装填されている光ディスクに対応して得られる上記振幅比が上記各閾値に対して何れの関係にあるかに基づいて当該装填されている光ディスクの種類を判別し、以後の再生を行う。
【００４０】
なお、本発明において、何れかの光ビーム単独に対する反射率の相異に基づいて光ディスクの種類を判別するのではなく、二種類の光ビームに対応する受光信号の振幅比に基づいて当該種類を判別することとするのは、上記各光ディスクにおいては、同じ種類の光ディスクであってもその反射率にバラツキがあり、更に上記情報再生装置においても、各光ビームの受光特性に関していわゆる固体差がある場合があるので、これらのバラツキ或いは固体差を補償して安定に種類を判別すべく、当該振幅比に基づいてその種類を判別するのである。
【００４１】
（II）実施形態
次に、本発明の実施形態について、具体的に図２乃至図４を用いて説明する。
【００４２】
先ず、実施形態に係る情報再生装置の概要構成及び動作について、図２を用いて説明する。
【００４３】
図２に示すように、光ディスク１（上述した７種類の光ディスクのうちのいずれかの光ディスクである。）に記録されている情報を再生する情報再生装置Ｓは、スピンドルモータ２と、受光手段としてのピックアップ３と、キャリッジ４と、回転軸５と、キャリッジモータ６と、デコーダ７と、メモリ８と、判別手段及び有無判別手段としてのサーボＩＣ９と、Ｉ／Ｆ（Inter  Face）コントローラ１０と、制御用マイコン１１と、により構成されている。
【００４４】
次に、概要動作を説明する。
【００４５】
先ず、波長６５０ナノメートルの光ビームを射出する射出手段としてのレーザダイオード（LASER  Diode。以下、第２レーザダイオードと称する。）３Ｂと波長７８０ナノメートルの光ビームを射出する射出手段としてのレーザダイオード（以下、第１レーザダイオードと称する。）３Ａとを共に備えるピックアップ３は、後述するスピンドル駆動信号Ｓsdにより駆動されるスピンドルモータ２により予め設定された所定の回転数で回転されている光ディスク１に対して情報再生用の光ビームＢを照射し、その反射光を受光することで当該再生すべき情報に対応する検出信号Ｓpuを生成し、デコーダ７へ出力する。
【００４６】
このとき、二種類の波長のうち何れの波長の光ビームを光ビームＢとして射出するかについては、後述する種類判別処理により判別された光ディスク１の種類に基づいて決定される。
【００４７】
更に、当該光ビームＢはピックアップ３内の図示しない対物レンズにより光ディスク１内の情報記録面に集光され、当該情報記録面上に光スポットを形成する。
【００４８】
そして、当該光ビームＢの集光位置と当該情報記録面上に形成されている情報トラック（情報の記録又は再生が行われる情報トラック）の位置との情報記録面に垂直な方向のずれ及び水平な方向のずれは、後述するピックアップサーボ信号Ｓpdにより駆動される図示しないアクチュエータ（上記対物レンズを支持して移動させるアクチュエータ）により当該対物レンズが上記垂直な方向又は水平な方向に移動されることにより補償されつつ（すなわち、トラッキングサーボ制御及びフォーカスサーボ制御が実行されつつ）情報の再生が実行される。
【００４９】
なお、光ディスク１の半径方向についてのトラッキングサーボ制御において、対物レンズの当該半径方向の移動限界を超えて更に集光位置を移動させる必要が生じた場合には、ピックアップ３を支持しているキャリッジ４が当該半径方向（図２における左右方向）にピックアップ３を支持したまま移動することでトラッキングサーボ制御が継続される。
【００５０】
このとき、当該キャリッジ４の移動は、後述するモータ駆動信号Ｓmdにより駆動されるキャリッジモータ６により、ネジが切られている回転軸５が回転することで当該回転軸５上のネジに噛み合う形の部分ナットが形成されているキャリッジ４が当該回転軸５の中心軸に平行な方向に移動することにより実現されるものである。
【００５１】
また、上記第１レーザダイオード３Ａと第２レーザダイオード３Ｂとの切換え制御は、ピックアップサーボ信号Ｓpdに含まれている切換え制御信号を用いたサーボＩＣ９の制御の下で実行される。
【００５２】
次に、デコーダ７は、制御用マイコン１１との間で制御信号Ｓcdの授受を行うと共にメモリ８との間で必要な情報をメモリ信号Ｓmとして授受しつつ、検出信号Ｓpuから光ディスク１に記録されている情報に対応する再生信号Ｓdcを抽出してＩ／Ｆコントローラ１０へ出力すると共に、検出信号Ｓpuから光ビームＢの集光位置と上記情報トラックの位置との情報記録面に垂直な方向のずれを示す上記フォーカスエラー信号及び当該情報記録面に平行な方向のずれを示す上記トラッキングエラー信号を抽出し、これらを含むエラー信号Ｓesを生成してサーボＩＣ９へ出力する。
【００５３】
これにより、Ｉ／Ｆコントローラ１０は、制御用マイコン１１との間で制御信号Ｓccの授受を行いつつ、再生信号Ｓdcに対して予め設定されたインタフェース処理を施し、光ディスク１に記録されている情報に対応する出力信号Ｓoutを生成し、外部のパーソナルコンピュータ等に出力する。
【００５４】
一方、エラー信号Ｓesが入力されるサーボＩＣ９は、制御用マイコン１１との間で制御信号Ｓcsの授受を行いつつ、当該エラー信号Ｓesに含まれている上記フォーカスエラー信号及びトラッキングエラー信号に基づいて、ピックアップ３内の上記アクチュエータを駆動するための上記ピックアップサーボ信号Ｓpdを生成してピックアップ３へ出力すると共に、スピンドルモータ２の回転を制御するための上記スピンドル駆動信号Ｓsdを生成して当該スピンドルモータ２へ出力する。
【００５５】
これに加えて、サーボＩＣ９は、上記トラッキングエラー信号に基づいて、キャリッジ４を光ディスク１の半径方向に移動させるべく、上記モータ駆動信号Ｓmdを生成してキャリッジモータ６へ出力する。
【００５６】
更に、サーボＩＣ９は、後述する種類判別処理において、上記切換え制御信号を用いて第１レーザダイオード３Ａの点消灯及び第２レーザダイオード３Ｂの点消灯を制御する。
【００５７】
ここで、上述した一連の動作は光ディスク１に記録されている情報を再生する場合の動作であるが、当該再生動作が開始される前において、後述する本発明に係る光ディスク１の種類判別処理が実行され、更にその結果に基づいてサーボＩＣ９における上記ゲイン特性又はイコライザ特性等の設定が実行される。なお、当該種類判別処理には、後述するように上記したフォーカスエラー信号が用いられる。
【００５８】
次に、実施形態に係る種類判別処理について、図３及び図４を用いて説明する。なお、以下に説明する種類判別処理は主としてサーボＩＣ９において実行される処理である。
【００５９】
情報再生開始前の当該種類判別処理においては、先ず、波長７８０ナノメートルの光ビームＢを射出する第１レーザダイオード３Ａが点灯され（ステップＳ１）、当該光ビームＢの光ディスク１からの反射光に基づいて上記フォーカスエラー信号に含まれるいわゆるＳ字信号が取得される（ステップＳ２）。
【００６０】
そして、実際にＳ字信号が取得されたか否かが判定され（ステップＳ３）、取得できないときは（ステップＳ３；ＮＯ）、実際には光ディスク１が情報再生装置Ｓに装填されていないと判定して予め設定されているエラー処理を行い（ステップＳ４）処理を終了する。
【００６１】
ここで、上記した光ディスク１の装填の有無自体の判定において波長７８０ナノメートルの光ビームＢを用いるのは、図１に示すようにＣＤ−Ｒにおいては波長６５０ナノメートルの光ビームはほとんど反射されないため、仮に装填されている光ディスク１がＣＤ−Ｒであった場合に波長６５０ナノメートルの光ビームを用いてその装填の有無自体の判別を行うと、実際にはＣＤ−Ｒが装填されているにも拘らず装填されていない（ステップＳ３；ＮＯ）と判定される可能性があるからである。
【００６２】
一方、ステップＳ３の判定においてＳ字信号が取得できた場合には（ステップＳ３；ＹＥＳ）、その取得できたＳ字信号の振幅値を値ＡとしてサーボＩＣ９内の図示しないメモリに一時的に記憶して点灯されている第１レーザダイオード３Ａを消灯し（ステップＳ５）、次に波長６５０ナノメートルの光ビームＢを射出する第２レーザダイオード３Ｂが点灯される（ステップＳ６）。
【００６３】
そして、ステップＳ２の場合と同様に、得られたフォーカスエラー信号からＳ字信号が抽出され、その取得できたＳ字信号の振幅値を値ＢとしてサーボＩＣ９内の上記メモリに一時的に記憶して（ステップＳ７）点灯されている第２レーザダイオード３Ｂを消灯する（ステップＳ８）。
【００６４】
このとき、装填されている光ディスク１が例えば上記ＤＶＤ（Ｄ）であった場合には、上記ステップＳ１乃至Ｓ８が実行される過程において、図４（ａ）下段に示すフォーカス駆動信号（ピックアップ３内の上記対物レンズを光ディスク１に垂直な方向に駆動するためのフォーカス駆動信号）の変化に伴い、図４（ａ）上段に示すフォーカスエラー信号が得られ、対応する上記値Ｂが上記値Ａの約２倍の値として得られることとなる。
【００６５】
一方、装填されている光ディスク１が例えば上記ＣＤ−Ｒであった場合には、当該過程において、図４（ｂ）下段に示すフォーカス駆動信号の変化に伴い、図４（ｂ）上段に示すフォーカスエラー信号が得られ、対応する上記値Ｂが上記値Ａよりも小さい値として得られることとなる。
【００６６】
上述した一連の処理により装填されている光ディスク１について波長６５０ナノメートルの光ビームに対応する振幅値Ｂと波長７８０ナノメートルの光ビームに対応する振幅値Ａとが得られると、次に、これらの振幅比（具体的には、Ｂ／Ａで示される振幅比）に基づいて光ディスク１の種類が判別される（ステップＳ９）。
【００６７】
このステップＳ９における処理について具体的には、当該振幅比が図１に示す閾値Ｄ以下であるときは装填されている光ディスク１がＣＤ−Ｒであると判定し、当該振幅比が閾値Ｄより大きく閾値Ｃ未満であるときは装填されている光ディスク１がＤＶＤ（Ｄ）であると判定し、当該振幅比が閾値Ｃより大きく閾値Ｂ未満であるときは装填されている光ディスク１がＣＤ又はＣＤ−ＲＷであると判定し、当該振幅比が閾値Ｂより大きく閾値Ａ未満であるときは装填されている光ディスク１がＤＶＤ（Ｓ）又はＤＶＤ−Ｒであると判定し、当該振幅比が閾値Ａより大きいときは装填されている光ディスク１がＤＶＤ−ＲＷであると判定する。
【００６８】
そして、当該種類が判別されたならば、その判別結果に応じてサーボＩＣ９内においてゲイン特性及びイコライザ特性等の設定を行い（ステップＳ１０）、再生すべき情報の再生を行って（ステップＳ１１）処理を終了する。
【００６９】
なお、ステップＳ９の判定において具体的に種類が特定できた場合（光ディスク１が上記ＣＤ−Ｒ、ＤＶＤ（Ｄ）又はＤＶＤ−ＲＷであった場合）には、ステップＳ１０においては夫々特定された種類に最適化するように各特性の設定を行うこととなるが、当該ステップＳ９の判定において具体的にその種類が特定できなかった場合（光ディスク１がＣＤ又はＣＤ−ＲＷであると判定された場合或いはＤＶＤ（Ｓ）又はＤＶＤ−Ｒであると判定された場合）には、実際には、他の方法を用いて一の種類を特定した後に当該特定した種類に対応するようにステップＳ１０以降の処理が実行される。
【００７０】
このとき、当該他の方法として具体的には、例えば、光ディスク１がＣＤであるかＣＤ−ＲＷであるかを判別する方法としては、その反射率の相異を利用して何れかの光ビームを照射しその反射光の絶対値を比較することでＣＤとＣＤ−ＲＷとを区別することができる。
【００７１】
また、光ディスク１がＤＶＤ（Ｓ）であるかＤＶＤ−Ｒであるかを判別する方法としては、例えば、夫々の光ディスクに予め記録されている管理情報（当該光ディスクの種類を記述した管理情報）を読み取ることでＤＶＤ（Ｓ）とＤＶＤ−Ｒとを区別することができる。
【００７２】
以上説明したように、実施形態の種類判別処理を伴う情報再生処理においては、二種類の光ビームを光ディスク１に照射して夫々得られる二つのＳ字信号の振幅同士の比に基づいて光ディスク１の種類を判別するので、光学的に簡易且つ正確に当該種類を判別することができる。
よって、光ディスク１に対する情報の記録又は再生に用いる光ビームを兼用してその種類の判別を行うことができ、情報再生装置としての構成を簡略化することができる。
【００７３】
また、光ディスク１がＣＤ−Ｒであるか又は当該ＣＤ−Ｒを除く他の情報記録媒体であるかをも判別できるので、これまで不可能であったＣＤ−Ｒであることの判別を光学的に行うことができる。
【００７４】
更に、予め設定されている閾値Ａ乃至Ｄと上記振幅比との比較に基づいて光ディスク１の種類を判別するので、光学的により確実且つ簡易に当該種類を判別することができる。
【００７５】
更にまた、得られた波長７８０ナノメートルの光ビームＢを兼用して光ディスク１の種類の判別に先立ってその装填の有無自体を判別するので、当該光ディスク１に対する再生を開始するまでの時間を短縮することができる。
【００７６】
なお、上述した実施形態においては、二種類の波長を有する光ビームＢを用いて種類判別処理を行う場合について説明したが、当該種類判別処理に用いる光ビームＢの波長に関しては、判別の対象となる光ディスクに対する反射率が異なる二種類の波長であれば、上述した６５０ナノメートル及び７８０ナノメートルに限られるものではない。
【００７７】
（III）変形形態
次に、本発明に対応する変形形態について説明する。
【００７８】
先ず、第１の変形形態として、上述した実施形態においては波長７８０ナノメートルの光ビームＢを光ディスク１の装填の有無の判定に兼用する関係上、初めに当該第１レーザダイオード３Ａから点灯したが、当該装填の有無の判定を他の方法で実行するのであれば、上記第２レーザダイオード３Ｂを初めに点灯し振幅値Ｂを最初に取得するように構成することもできる。
【００７９】
また、第２の変形形態として、上述した実施形態では波長７８０ナノメートルの光ビームと波長６５０ナノメートルの光ビームとを用いて種類の判別を行ったが、これ以外に、波長が７７０ナノメートル以上７９５ナノメートル以下の範囲内にある第１光ビームと波長が６３０ナノメートル以上６５５ナノメートル以下の範囲内にある第２光ビームとを用いて上記振幅値を算出し、その比に基づいて種類を判別するように構成することもできる。
【００８０】
この場合には、光ディスク１に対する情報の再生に用いる光ビームを兼用してその種類の判別を行うことができるので、情報再生装置自体の構成を簡略化することができる。
【００８１】
更に、第３の変形形態として、二種類の光ビームだけでなく、三以上複数種類の光ビームを順次用いて夫々に対応する上記Ｓ字信号の振幅値を得、それらのうち二つづつの比を算出して既定の閾値と比較することで、上記した７種類以外の種類の光ディスクの判別を行うことも可能である。
【００８２】
更にまた、第４の変形形態として、上記第３の変形形態の場合に、種類判別後の再生に用いる光ビームを当該種類の判別において最後に用いることとすれば、そのままレーザダイオードを切り換えることなく当該再生に移行することができる。
【００８３】
このとき、第４の変形形態としてより具体的に実施形態の情報再生装置Ｓの構成を流用して説明すると、例えば、光ディスク１の装填の有無を判別するために第１レーザダイオード３Ａを点灯した後に、その種類判別処理を行うべく第１レーザダイオード３Ａ及び第２レーザダイオード３Ｂを一回づつ点灯する（その順番は問わない。）とすると、この場合、光ディスク有無判別のための第１レーザダイオード３Ａの点灯の段階で、装填されている光ディスク１が上記ＣＤ、ＣＤ−Ｒ又はＣＤ−ＲＷ（以下、ＣＤ類と称する。）のいずれかであるか、又はＤＶＤ（Ｄ）、ＤＶＤ（Ｓ）、ＤＶＤ−Ｒ又はＤＶＤ−ＲＷ（以下、ＤＶＤ類と称する。）のいずれかであるかの二者の判別は可能となる。
【００８４】
すなわち、波長７８０ナノメートルの光ビームＢを光ディスクに照射した場合に得られる信号としては、当該光ビームＢが各光ディスクの反射膜により反射されることで得られる上記Ｓ字信号の他に、当該光ビームＢが各光ディスクの保護層により反射されることで得られるいわゆる疑似Ｓ字信号と称されるものがあるが、この疑似Ｓ字信号が得られてから本来のＳ字信号が得られるまでの時間は当該保護膜と反射膜の間の距離により異なることとなる。そして、この距離が上記ＣＤ類（１．２mm）とＤＶＤ類（０．６mm）とでは２倍異なっているので、当該時間を検出することで上記第１レーザダイオード３Ａの点灯の段階で再生に使用するレーザダイオードを特定することができる（装填されている光ディスク１がＣＤ類であれば再生には第１レーザダイオード３Ａが使用され、当該光ディスク１がＤＶＤ類であれば再生には第２レーザダイオード３Ｂが使用されることとなる。）
そこで、種類判別処理のためのレーザダイオードを点灯する順番について、当該判別処理後の再生に使用するレーザーダイオードを後に点灯すれば、そのままレーザダイオードを切り換えることなく実際の再生を開始することができるのである。
【００８５】
なお、上述した第４の変形形態の具体的説明では、レーザダイオードを都合３回点灯する場合について説明したが、これ以外に種類判別処理前の段階で当該種類判別処理後に用いるレーザダイオードの種類が判別していれば（例えば、光ディスク１自体の物理的な形状により判別できる場合や使用者が使用する光ディスク１の種類を指定することで判別できる場合がある。）、当該後に用いるレーザダイオードをその種類判別処理において最後に点灯することで、上記切り換えを行うことなくそのまま種類判別処理後の処理に以降することができることとなる。
【００８６】
また、第５の変形形態として、上述した実施形態では、光ディスク１に記録されている情報を再生する場合について本発明を適用したが、これ以外に、記録可能な光ディスクに対して必要な情報を記録する場合、その前処理として記録が行われる光ディスクの種類を判別する際に本発明を適用することも可能である。
【００８７】
更に、第６の変形形態として、図３に示した種類判別処理に対応するプログラムをフレキシブルディスク、ＲＡＭ（Random  Access  Memory）又はＲＯＭ（Read  Only  Memory）等の情報記録媒体に記録しておき、これを情報記録装置又は情報再生装置に備えられているＣＰＵにより読み出して実行することにより、当該情報記録装置又は情報再生装置において実施形態に係る種類判別処理を実行するように構成することもできる。
【図面の簡単な説明】
【図１】本発明の原理を説明する図である。
【図２】実施形態に係る情報再生装置の概要構成を示すブロック図である。
【図３】実施形態に係る種類判別処理を示すフローチャートである。
【図４】実施形態に係る種類判別処理を示すタイミングチャートである。
【符号の説明】
１…光ディスク
２…スピンドルモータ
３…ピックアップ
３Ａ…第１レーザダイオード
３Ｂ…第２レーザダイオード
４…キャリッジ
５…回転軸
６…キャリッジモータ
７…デコーダ
８…メモリ
９…サーボＩＣ
１０…Ｉ／Ｆコントローラ
１１…制御用マイコン
Ｓ…情報再生装置
Ｂ…光ビーム
Ｓsd…スピンドル駆動信号
Ｓpu…検出信号
Ｓpd…ピックアップサーボ信号
Ｓmd…モータ駆動信号
Ｓcd、Ｓcc、Ｓcs…制御信号
Ｓm…メモリ信号
Ｓdc…再生信号
Ｓes…エラー信号
Ｓout…出力信号
【図１】
0004226184.tif 000002
【図２】
0004226184.tif 000003
【図３】
0004226184.tif 000004
【図４】
0004226184.tif 000005